【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
ユーザ端末機にインストールされた情報推薦エージェントで情報を推薦する方法であって、
前記ユーザ端末機を介して選択される少なくとも１つのコンテンツを認識するステップと、
前記ユーザ端末機を介して前記少なくとも１つのコンテンツについての検索データおよび条件データの入力を受け、前記検索データおよび前記条件データを前記少なくとも１つのコンテンツと関連付けて格納するステップと、
前記検索データおよび条件データを用いて前記コンテンツと関連したコンテンツ情報を検索するステップと、
前記コンテンツ情報を前記ユーザ端末機に提供するステップと、を含み、
前記検索データはネットワークを介して前記コンテンツ情報を検索するためのネットワークアドレスを含み、
前記条件データは前記検索時に検索範囲を限定する条件である
ことを特徴とする情報推薦方法。
【請求項２】
前記少なくとも１つのコンテンツは、前記ユーザ端末機を介して表示されるウェブページにおいて、前記ウェブページが含むイメージおよびテキストの少なくともいずれか１つについての前記情報推薦エージェントへのドラッグ＆ドロップイベントによって、前記ユーザ端末機で選択されることを特徴とする請求項１に記載の情報推薦方法。
【請求項３】
前記認識するステップは、
前記イメージおよび前記テキストの少なくともいずれか１つを前記少なくとも１つのコンテンツとして認識するステップを含むことを特徴とする請求項２に記載の情報推薦方法。
【請求項４】
前記コンテンツ情報は、前記イメージおよび前記テキストの少なくともいずれか１つと関連した情報を表示するウェブページを含むことを特徴とする請求項２に記載の情報推薦方法。
【請求項５】
前記検索データは、前記ネットワークを介して前記コンテンツ情報を検索するためのウェブサイトのアドレスおよび前記検索の検索実行間隔を含むことを特徴とする請求項１に記載の情報推薦方法。
【請求項６】
前記検索するステップは、
前記検索実行間隔ごとに前記ウェブサイトのアドレスを用いて前記ウェブサイトにアクセスするステップと、
前記少なくとも１つのコンテンツとして認識された前記イメージおよび前記テキストの少なくともいずれか１つを用いて前記ウェブサイトで前記コンテンツ情報を検索するステップと、を含むことを特徴とする請求項５に記載の情報推薦方法。
【請求項７】
前記コンテンツ情報を検索するステップは、
前記少なくとも１つのコンテンツと関連した検索データが存在しない場合、デフォルト値として設定された前記検索実行間隔ごとに前記少なくとも１つのコンテンツが選択されたウェブページで前記イメージおよび前記テキストの少なくともいずれか１つを用いて前記コンテンツ情報を検索するステップ、をさらに含むことを特徴とする請求項６に記載の情報推薦方法。
【請求項８】
前記条件データは、前記ユーザ端末機から入力された文字列、および、数字の少なくともいずれか１つ、ならびに、前記数字と前記コンテンツ情報との関係を含み、
前記コンテンツ情報を前記ユーザ端末機に提供するステップは、
以前の検索から情報がアップロードされ、あるいは、変更された前記コンテンツ情報のうち、前記文字列および前記数字の少なくともいずれか１つを含んだウェブページ、または、前記数字と前記コンテンツ情報との前記関係を満足するコンテンツ情報を、前記ユーザ端末機を介して提供するステップであることを特徴とする請求項１に記載の情報推薦方法。
【請求項９】
前記コンテンツは商品であり、
前記コンテンツと関連した前記コンテンツ情報は前記商品に対する商品情報であり、
前記検索データは前記商品の商品コード、商品名またはモデル名を含み、
前記条件データは、前記商品の最低価格または前記商品と関連した条件文字列を含むことを特徴とする請求項１ないし８のうちのいずれか一項に記載の情報推薦方法。
【請求項１０】
請求項１ないし９のうちのいずれか一項の方法を実行させるためのプログラムを記録したコンピュータ読み取り可能な記録媒体。
【請求項１１】
ユーザ端末機にインストールされて情報を推薦する情報推薦エージェントであって、
前記ユーザ端末機を介して選択される少なくとも１つのコンテンツを認識するコンテンツ認識部と、
前記ユーザ端末機を介して前記少なくとも１つのコンテンツについての検索データおよび条件データの入力を受けるデータ入力機能を提供するデータ入力機能提供部と、
前記データ入力機能によって入力される前記検索データおよび前記条件データの少なくともいずれか１つを前記少なくとも１つのコンテンツと関連付けて格納するデータ格納部と、
前記検索データおよび前記条件データを用いて前記少なくとも１つのコンテンツと関連したコンテンツ情報を検索するコンテンツ情報検索部と、
前記コンテンツ情報を、前記ユーザ端末機に提供するコンテンツ情報処理部と、を備え、
前記検索データは、ネットワークを介して前記コンテンツ情報を検索するためのネットワークアドレスを含み、
前記条件データは前記検索時に検索範囲を限定する条件であることを特徴とする情報推薦エージェント。
【請求項１２】
前記少なくとも１つのコンテンツは、前記ユーザ端末機を介して表示されるウェブページにおいて、前記ウェブページが含むイメージおよびテキストの少なくともいずれか１つについての前記情報推薦エージェントへのドラッグ＆ドロップイベントによって前記ユーザ端末機で選択され、
前記コンテンツ認識部は、前記イメージおよび前記テキストの少なくともいずれか１つを前記少なくとも１つのコンテンツとして認識することを特徴とする請求項１１に記載の情報推薦エージェント。
【請求項１３】
前記検索データは、前記ネットワークを介して前記コンテンツ情報を検索するためのウェブサイトのアドレスおよび前記検索の検索実行間隔を含み、
前記コンテンツ情報検索部は、
前記検索実行間隔ごとに前記ウェブサイトのアドレスを用いて前記ウェブサイトにアクセスするアクセス部と、
前記少なくとも１つのコンテンツとして認識された前記イメージおよび前記テキストの少なくともいずれか１つを用いて前記ウェブサイトで前記コンテンツ情報を検索する検索部と、を備えることを特徴とする請求項１２に記載の情報推薦エージェント。
【請求項１４】
前記コンテンツ情報検索部は、
前記コンテンツと関連した検索データが存在しない場合、デフォルト値として設定された前記検索実行間隔ごとに前記コンテンツが選択されたウェブページで前記イメージおよび前記テキストを用いて前記コンテンツ情報を検索することを特徴とする請求項１３に記載の情報推薦エージェント。
【請求項１５】
前記条件データは、前記ユーザ端末機のユーザが入力した文字列、および、数字の少なくともいずれか１つ、ならびに、前記数字と前記コンテンツ情報との関係を含み、
前記コンテンツ情報処理部は、以前の検索から情報がアップロードされ、あるいは、変更された前記コンテンツ情報のうち、前記文字列および前記数字の少なくともいずれか１つを含んだウェブページ、または、前記数字と前記コンテンツ情報との前記関係を満足するコンテンツ情報を、前記ユーザ端末機を介して提供することを特徴とする請求項１１に記載の情報推薦エージェント。
【請求項１６】
前記コンテンツは商品であり、
前記コンテンツと関連した前記コンテンツ情報は前記商品に対する商品情報であり、
前記検索データは前記商品の商品コード、商品名またはモデル名を含み、
前記条件データは、前記商品の最低価格または前記商品と関連した条件文字列を含むことを特徴とする請求項１１ないし１５のうちのいずれか一項に記載の情報推薦エージェント。